(57)【特許請求の範囲】
【請求項１】
シート状または板状の透明素材の表面側に、複数の凸レンズ状の集光素を各集光素の並びに方向性を持たせて所定の配列ピッチで２次元的に配列して集光素パターンが形成されるとともに、前記透明素材の裏面側に、複数の画素を各画素の並びに前記集光素パターンと同じ方向性を持たせて前記各集光素の配列ピッチより大きい配列ピッチで２次元的に配列して画素パターンが形成されることにより、画素の拡大虚像を前記透明素材の上方に現出させる装飾表示体において、
前記透明素材の裏面側に基準点が設定され、前記画素パターンは各画素が前記基準点に向かって次第に画素径が大きくなるように形成され、
各画素の画素径が基準点に向かって次第に大きくなることにより、集光素により前記透明素材の上方に現出する各画素の拡大虚像が基準点に向かって次第に大きくなっていき、基準点に近い位置で隣接する画素の拡大虚像の周縁部同士が重なり合って合体した状態となるとともに、基準点に向かうにつれて次第にその重なり合いの度合いが大きくなっていくものとなされていることを特徴とする装飾表示体。
【請求項２】
前記透明素材の裏面側に所定形状の画素パターン領域が設けられ、該画素パターン領域内に前記画素パターンが配置されている請求項１に記載の装飾表示体。
【請求項３】
前記透明素材の裏面側に複数の所定形状の画素パターン領域が設けられている請求項２に記載の装飾表示体。
【請求項４】
前記画素パターン領域は、透明素材の裏面側において平面方向に格子状に配列している請求項３に記載の装飾表示体。
【請求項５】
前記画素パターン領域は、５０ｍｍの範囲内の大きさで形成されている請求項２ないし請求項４のいずれかに記載の装飾表示体。
【発明の詳細な説明】
【技術分野】
【０００１】
本発明は、名刺、フォトフレーム、遊技機やゲーム機の外層パネル、包装箱、広告体、飾り品、ディスプレイ装置、文房具、土産品、構造体、教材等の各種商品の装飾に適用される装飾表示体に関するものである。
【背景技術】
【０００２】
従来より、名刺、フォトフレーム、遊技機やゲーム機の外層パネル、包装箱、広告体、飾り品、ディスプレイ装置、文房具、土産品、構造体、教材等の各種商品の装飾として、集光素により画素の拡大虚像を各種商品の表面から現出させる装飾表示体を適用することが知られている（例えば下記特許文献１〜特許文献５参照）。
【０００３】
これらに開示される装飾表示体は、シート状または板状の透明素材の表面に、複数の凸レンズ状の集光素を各集光素の並びに方向性を持たせて所定の配列ピッチで２次元的に配列して集光素パターンが形成されるとともに、透明素材の裏面に、複数の画素を各画素の並びに集光素パターンと同じ方向性を持たせて各集光素と異なる配列ピッチで２次元的に配列して画素パターンが形成されることにより、画素の拡大虚像を透明素材の上方又は下方に現出させるものである。
【先行技術文献】
【特許文献】
【０００４】
【特許文献１】特許第４９０７０４９号
【特許文献２】特許第３４８８１７９号
【特許文献３】特開２００８−０１２８７０号
【特許文献４】特開２００３−２２６１００号
【特許文献５】特開２００３−２２６０９９号
【発明の概要】
【発明が解決しようとする課題】
【０００５】
しかしながら、最近では装飾表示体が各種商品に広く適用されており、一般消費者に身近なものとなっていることより、画素の拡大虚像が新たな視覚的効果を発揮するものが求められている。これに関し、従来の装飾表示体はいずれも、見る位置に制限を受けることなく、拡大虚像を静的な状態で視認させるものばかりであった。
【０００６】
本発明は、上述の技術的背景に鑑みてなされたものであって、拡大虚像を動的な状態で視認させることができる装飾表示体を提供することを目的とする。
【課題を解決するための手段】
【０００７】
本発明は、上記目的を達成するために、シート状または板状の透明素材の表面側に、複数の凸レンズ状の集光素を各集光素の並びに方向性を持たせて所定の配列ピッチで２次元的に配列して集光素パターンが形成されるとともに、透明素材の裏面側に、複数の画素を各画素の並びに集光素パターンと同じ方向性を持たせて各集光素と異なる配列ピッチで２次元的に配列して画素パターンが形成されることにより、画素の拡大虚像を透明素材の上方又は下方に現出させる装飾表示体において、透明素材の裏面側に基準点が設定され、画素パターンは画素が前記基準点に向かって次第に画素径が大きくなるように形成されていることを特徴とする。
【０００８】
これによれば、各画素の画素径が基準点に向かって次第に大きくなることにより、集光素により現出する各画素の拡大虚像も基準点に向かって次第に大きくなっていく。このため、基準点に近い位置では隣接する画素の拡大虚像の周縁部同士が重なり合って合体した状態となり、しかも基準点に向かうにつれて次第にその重なり合いの度合いが大きくなっていくため、画素の拡大虚像の全体形状も次第に変化していく。このことを利用して本装飾表示体を見る方向を変化させると、拡大虚像の全体形状が次第に変化するため、拡大虚像を動的な状態で視認させることができる。
【０００９】
また、透明素材の裏面側に所定形状の画素パターン領域が設けられ、該画素パターン領域内に画素パターンが配置されているのが好ましい。これによれば、該画素パターン領域内で拡大虚像を動的な状態で視認させることができる。
【００１０】
また、透明素材の裏面側に複数の所定形状の画素パターン領域が設けられているのが好ましい。これによれば、複数の拡大虚像を同時に動的な状態で視認させることができる。
【００１１】
また、画素パターン領域は、透明素材の裏面側において平面方向に格子状に配列しているのが好ましい。これによれば、動的な状態で視認される拡大虚像が規則的に配置されるため、装飾表示体としての全体的意匠性を向上させることができる。
【００１２】
また、画素パターン領域は、５０ｍｍの範囲内の大きさで形成されているのが好ましい。これによれば、画素パターン領域内において一つの拡大虚像が基準点付近に現出し、本装飾表示体を見る方向を変化させるのに伴って該拡大虚像の輪郭が次第に変化するように動的に視認させることができる。
【発明の効果】
【００１３】
本発明によれば、各画素の画素径が基準点に向かって次第に大きくなることにより、集光素により現出する各画素の拡大虚像も基準点に向かって次第に大きくなっていく。このため、基準点に近い位置では隣接する画素の拡大虚像の周縁部同士が重なり合って合体した状態となり、しかも基準点に向かうにつれて次第にその重なり合いの度合いが大きくなっていくため、画素の拡大虚像の全体形状も次第に変化していく。このことを利用して本装飾表示体を見る方向を変化させると、拡大虚像の全体形状が次第に変化するため、拡大虚像を動的な状態で視認させることができ、ひいては新たな装飾効果を奏することが可能となる。
【図面の簡単な説明】
【００１４】
【図１】本実施形態に係る装飾表示体を示す正面図である。
【図２】本装飾表示体に形成された画素パターンを示す図である。
【図３】本装飾表示体の（ａ）第１の画素パターンと、（ｂ）第２の画素パターンを示す正面図である。
【図４】本装飾表示体における図３（ａ）Ｉ部の（ａ）拡大断面図と、（ｂ）集光素と画素の位置関係を示す正面模式図である。
【図５】本装飾表示体の断面図および拡大虚像を示す図である。
【図６】本装飾表示体の基準点から離れた各位置毎の画素の拡大虚像を示す概念図である。
【図７】本装飾表示体のＡ１〜Ａ３の方向から視認される拡大虚像を示す図である。
【図８】本装飾表示体の一製品に係る拡大虚像を表す写真である。
【発明を実施するための形態】
【００１５】
次に、本発明に係る装飾表示体の一実施形態について図１〜図８を参照しつつ説明する。
【００１６】
本実施形態に係る装飾表示体１は、図１および図２に示すように、アクリル板等の合成樹脂からなる透明素材１０を備え、該透明素材１０の表面に集光素１１ａからなる集光素パターン１１が形成されているとともに、該透明素材１０の裏面に複数の画素１２ａ，１２ａ’からなる画素パターン１２、１２’が形成されている。ここに用いられる透明素材１０は、平面視において正方形状に形成され、厚みｄが２．０ｍｍとなされた板状部材である。
【００１７】
前記集光素パターン１１は、図１に示すように、紫外線硬化樹脂等のような無色透明のインキを用いて複数の凸レンズ状の集光素１１ａを透明素材１０の表面に直接印刷して形成されたものである。この集光素パターン１１は、図４に示すように、集光素１１ａを各集光素１１ａの並びに方向性を持たせて２次元的に配列して形成されており、ここでは水平に対して時計方向に４５度の角度だけ傾斜させたｘ方向とこれに直交するｙ方向に、同じ配列ピッチｐで各集光素２１をマトリクス状に等配列させて規則正しく形成されている。
【００１８】
なお、本実施形態では、各集光素１１ａの直径が０．６ｍｍ、配列ピッチｐが０．７ｍｍに設定されている。また、各集光素１１ａの配列は、必ずしも直交するパターンである必要はなく、一方の配列方向に対する他方の配列方向が９０度より小さい角度または９０度より大きい角度をなすようにしてもよい。
【００１９】
前記画素パターンは、図２に示すように、透明素材１０の裏面に設けられた所定形状の複数の画素パターン領域内にそれぞれ配置されている。これら画素パターン領域は、第１の色（例えば白色）を背景とする平面視矩形状（本実施形態では正方形）の第１の画素パターン領域Ｓ１と、第２の色（例えば黒色）を背景とする平面視矩形状（本実施形態では正方形）の第２の画素パターン領域Ｓ２とからなる。そして、第１の画素パターン領域Ｓ１には第１の画素パターン１２が配置されるとともに、第２の画素パターン領域Ｓ２には第２の画素パターン１２’が配置され、これら画素パターン領域Ｓ１，Ｓ２が上下方向および左右方向のそれぞれについて交互となる態様で平面方向に格子状に配列している。
【００２０】
前記第１の画素パターン１２は、図３（ａ）に示すように、第１の画素パターン領域Ｓ１の内側で全体形状が円形状となされている。この第１の画素パターン１２は、図４に示すように、複数の黒色の画素１２ａを各画素１２ａの並びに上記集光素パターン１１と同じ方向性を持たせて２次元的に配列して直接印刷により形成されている。つまり、第１の画素パターン１２は、一方向とこれに直交する方向へ各画素１２ａをマトリクス状に等配列して形成されており、各画素１２ａの配列方向が集光素パターン１１の配列方向であるｘ方向およびｙ方向に一致する態様で形成されている。
【００２１】
また、第１の画素パターン１２は、図４に示すように、集光素１１ａの配列ピッチｐより大きい配列ピッチｑで各画素１２ａが配列しており、本実施形態では画素１２ａの配列ピッチｑは０．７１ｍｍに設定されている。これにより、集光素パターン１１と第１の画素パターン１２において、平面視では複数個おきに集光素１１ａと画素１２ａが完全に重なる部分と、その周囲の画素１２ａが集光素１１ａから順次外側に位置ずれする部分とが繰り生じるようになっている。
【００２２】
また、この第１の画素パターン１２は、図３（ａ）に示すように、各画素１２ａの画素径Ｌが第１の画素パターン１２の周縁部から基準点１３に向かって次第に大きくなるように形成され、画素１２ａの密度が第１の画素パターン１２の周縁部から基準点１３に向かって次第に大きくなっている。この基準点１３とは、第１の画素パターン１２が形成された画素パターン領域Ｓ１の内側に仮想的に設定されるものであり、本実施形態では画素パターン領域Ｓ１の中央部に設定されている。
【００２３】
具体的に説明すると、図４（ａ）に示すように、外側（図４（ａ）の右側）の画素１２ａの画素径Ｌから基準点１３（図４（ａ）の左側）に向かって順にＬ１，Ｌ２，Ｌ３，Ｌ４，Ｌ５とすると、画素１２ａの画素径Ｌは、基準点１３に向かうにつれてＬ１＜Ｌ２＜Ｌ３＜Ｌ４＜Ｌ５・・・の関係で次第に大きくなっている。したがって、画素パターン１２は、基準点１３から遠い位置では隣接する画素１２ａが互いに離間しており、基準点１３に近い位置では隣接する画素１２ａが互い重なり合う態様で形成されている。
【００２４】
一方、前記第２の画素パターン１２’は、上述した第１の画素パターン１２と、背景色および画素１２’の色が異なること以外は基本的に同一構成である。すなわち、第２の画素パターン１２’は、図３（ｂ）に示すように、第２の画素パターン領域Ｓ２の内側で全体形状が円形状となされ、図４に示すように、複数の白色の画素１２ａ’を各画素１２ａ’の並びに上記集光素パターン１１と同じ方向性を持たせて配列ピッチｑで２次元的に配列して直接印刷により形成されている。
【００２５】
また、第２の画素パターン１２’は、図３（ｂ）および図４に示すように、画素１２ａ’の画素径Ｌが第２の画素パターン領域Ｓ２の中央に設けられた基準点１３に向かって次第に大きくなるように形成されている。
【００２６】
なお、本実施形態において、集光素１１ａの配列ピッチｐが０．７ｍｍに設定されているのに対して、画素１２ａ，１２ａ’の配列ピッチｑを０．７１ｍｍで設定するのは、透明素材１０が２．０ｍｍの厚みを有する場合において画素１２ａ，１２ａ’の拡大虚像Ｚを明確に現出させるための条件を満たす値だからである。
【００２７】
以上によれば、透明素材１０の表面に集光素パターン１１が形成されるとともに、透明素材１０の裏面に設けられた第１の画素パターン領域Ｓ１に第１の画素パターン１２が配置され、第２の画素パターン領域Ｓ２に第２の画素パターン１２’が配置されている。このため、図５に示すように、透明素材１０の上方において、画素１２ａの拡大虚像Ｚおよび画素１２ａ’の拡大虚像Ｚ’を現出させることができる。
【００２８】
ここで、第１の画素パターン１２による拡大虚像Ｚ１の現出について着目すると、図３（ａ）に示すように、第１の画素パターン１２は、画素１２ａの画素径Ｌが基準点１３に向かって次第に大きくなっており、このことによって集光素１１ａにより現出する各画素１２ａの拡大虚像Ｚが基準点１３に向かって次第に大きくなっていくこととなる。このため、基準点１３に近い位置では、隣接する画素１２ａの拡大虚像Ｚの周縁部同士が重なり合って合体した状態となり、しかも基準点１３に向かうにつれて次第にその重なり合いの度合いが大きくなっていくため、これに伴って画素１２ａの拡大虚像Ｚの全体形状が次第に変化していく。
【００２９】
これに関して図６を用いて具体的に説明すると、基準点１３から遠い位置では、図６（ａ）に示すように、画素１２ａの画素径Ｌが小さいため、隣接する画素１２ａの拡大虚像Ｚが互いに独立した単体の状態で現出する。そして、基準点１３に近づいた位置では、図６（ｂ）に示すように、画素１２ａの画素径Ｌが大きくなっているため、隣接する画素１２ａの拡大虚像Ｚの周縁部同士が重なり合って合体した状態となされて現出する。そして、さらに基準点１３に近づいた位置では、図６（ｃ）に示すように、画素１２ａの画素径Ｌがより大きくなっているため、隣接する画素１２ａの拡大虚像Ｚの周縁部同士の重なり合いの度合いが大きくなり、画素１２ａの拡大虚像Ｚの全体形状が変化している。このことより、基準点１３に向かって、集光素１１ａにより現出する画素１２ａの拡大虚像Ｚの全体形状を次第に変化させることができる。図６において図示した画素１２ａの拡大虚像Ｚは輪郭が明確に表されているが、実際の拡大虚像Ｚは輪郭がぼやけた状態で視認されるものであり、また、画素１２ａの拡大虚像Ｚの周縁部同士が合体した状態でも輪郭がぼやけた状態で視認される。
【００３０】
なお、上述では、第１の画素パターン１２による拡大虚像Ｚの現出について説明したが、第２の画素パターン１２’における画素１２ａ’の拡大虚像Ｚ’の現出についても、そのメカニズムは同様のため、説明を省略する。
【００３１】
以上のことを利用して本装飾表示体１を見る位置を変化させて、隣接する画素１２ａの拡大虚像Ｚの周縁部同士、そして隣接する画素１２ａ’の拡大虚像Ｚ’の周縁部同士を重なり合って合体した状態で現出させ、またその重なり合いの度合いを変化させて、画素１２ａ，１２ａ’の拡大虚像Ｚ，Ｚ’の全体形状を各々変化させることにより、画素１２ａ，１２ａ’の拡大虚像Ｚ，Ｚ’を動的な状態で視認させることができる。
【００３２】
これについて図７を用いて以下に説明する。なお、図７（ａ）は、本装飾表示体１を見る方向を矢印Ａ１〜Ａ３で示している。また、図７（ｂ）は矢印Ａ１の方向から見た場合、図７（ｃ）は矢印Ａ２の方向から見た場合、図７（ｄ）は矢印Ａ３の方向から見た場合の装飾表示体に現出する拡大虚像を示す。さらに、図７（ｂ）〜（ｄ）では、３行×３列で配置された複数の画素パターン領域であって、中央に第１の画素パターン領域Ｓ１を配置し、これを基準に第１の画素パターン領域Ｓ１および第２の画素パターン領域Ｓ２が交互となるように平面方向に格子状に配置されたものを例示している。
【００３３】
図７（ｂ）〜（ｄ）に示すように、第１の画素パターン領域Ｓ１および第２の画素パターン領域Ｓ２に現出した各拡大虚像Ｚ１１，１２，１３，２１，２２，２３，３１，３２，３３は、本装飾表示体１を見る方向Ａ１〜Ａ３を変化させることによって、全体形状が各々変化している。これは、基準点１３に向かって画素１２ａ，１２ａ’の拡大虚像Ｚ，Ｚ’が隣接するもの同士で重なり合って合体した状態となって現出し、しかも隣接する画素１２ａの拡大虚像Ｚの周縁部同士の重なり合いの度合いが大きくなっているため、見る方向の変化に伴って集光素１１ａにより現出する拡大虚像Ｚ，Ｚ’の全体形状を次第に変化させるように動的に視認させているからであると考えられる。
【００３４】
なお、ここでは、見る方向を矢印Ａ１〜Ａ３の３方向のみ説明したが、見る方向を連続的に変化させると、画素１２ａ，１２ａ’の拡大虚像Ｚ，Ｚ’の全体形状も次第に連続的に変化させるように動的に視認させることができる。
【００３５】
また、本装飾表示体１では、画素パターン領域Ｓ１，Ｓ２内に画素パターン１２，１２’が配置されているため、該画素パターン領域Ｓ１，Ｓ２内で画素１２ａ，１２ａ’の拡大虚像Ｚが浮遊するように動的に視認させることができる。
【００３６】
また、画素パターン領域が複数（画素パターン領域Ｓ１，Ｓ２）が設けられているため、複数の拡大虚像Ｚ，Ｚ’を同時に動的な状態で視認させることができる。
【００３７】
また、複数の画素パターン領域Ｓ１，Ｓ２が格子状に配列していることによって、動的な状態で視認される拡大虚像Ｚ，Ｚ’が規則的に配置されているため、装飾表示体としての全体的意匠性を向上させることができる。
【００３８】
また、画素パターン領域を２０ｍｍの範囲内の大きさで形成することによって、画素パターン領域Ｓ１，Ｓ２内において一つの拡大虚像１２，１２’のみが基準点１３の付近に現出する。そして、本装飾表示体１を見る方向を変化させるのに伴って該拡大虚像Ｚ，Ｚ’の輪郭が次第に変化するように動的に視認させることができる。
【００３９】
なお、参考までに、図８に示した本発明に係る装飾表示体の一製品の写真を参照すると、この写真からも画素の拡大虚像の全体形状が各々変化するように視認できることが分かる。
【００４０】
なお、本実施形態では、透明素材１０の厚みが２．０ｍｍである場合について説明したが、それ以外の厚みであってもよく、また厚みが薄いシート状であってもよい。
【００４１】
また、画素１２ａ，１２ａ’の配列ピッチｑが集光素１１ａの配列ピッチｐより大きい場合について説明したが、配列ピッチｐより小さくてもよい。この場合、画素１２ａ，１２ａ’の拡大虚像Ｚ，Ｚ’が透明素材１０の裏面側（図５中では下方側）に現出することとなる。
【００４２】
また、基準点１３は第１の画素パターン領域Ｓ１および第２の画素パターン領域Ｓ２の中央に設定されている場合について説明したが、各領域Ｓ１，Ｓ２内の中央以外であってもよい。
【００４３】
また、画素パターン領域Ｓ１および第２の画素パターン領域Ｓ２は、格子状に配列した場合について説明したが、格子状のように必ずしも規則的に配列しなくてもよく、任意の箇所に配置してもよい。
【００４４】
また、画素パターン領域が画素パターン領域Ｓ１および第２の画素パターン領域Ｓ２の２種類設けられている場合について説明したが、１種類または３種類以上であってもよい。
【００４５】
また、画素パターン領域が複数設けられている場合について説明したが、１つであってもよい。
【００４６】
また、画素パターン領域が矩形状である場合について説明したが、その他の形状であってもよい。
【００４７】
また、画素パターン領域の大きさを一辺２０ｍｍに設定したが、その他の大きさに形成してもよい。但し、一つの画素パターン領域内に一つの拡大虚像を動的に視認させるためには、画素パターンの領域の大きさを５０ｍｍの範囲内に設定する必要がある。
【００４８】
また、集光素１１ａの配列ピッチｐおよび画素１２ａ，１２ａ’の配列ピッチｑが一定である場合について説明したが、配列ピッチｐおよび配列ピッチｑのいずれか一方またはいずれも変化するものであってもよい。
【００４９】
また、集光素１１ａおよび画素１２ａ，１２ａ’が円形状である場合について説明したが、その他の形状であってもよい。
【００５０】
また、画素１２ａ，１２ａ’の画素径が変化すること以外、画素１２ａ，１２ａ’の形状が変化しない場合について説明したが、輪郭や色その他の要素によって画素１２ａ，１２ａ’が変化するようにしてもよい。
【００５１】
また、集光素パターン１１は透明素材１０の表面に、画素パターン１２，１２’は透明素材１０の裏面にそれぞれ直接印刷することによって形成される場合について説明したが、その他の方法で形成されるものであってもよい。
【００５２】
例えば、透明素材の表面側に予め集光素パターンが形成された透明なシート状又は板状の部材を設け、透明素材の裏面側に予め画素パターンが形成されたシート状又は板状の部材を設けて、装飾表示体を構成してもよい。また、１枚の透明素材の表面側に集光素パターンおよび画素パターンを設け、透明素材を２つ以上に折り畳むことによって透明素材を介して集光素パターンと画素パターンを対向させることにより装飾表示体を構成してもよい。
【００５３】
また、画素１２が黒色、画素１２’が白色である場合について説明したが、その他の色であってもよい。
【００５４】
また、基準点１３は、画素パターン領域Ｓ１の中央部に設定されるのが好ましいが、必ずしも中央部に設定されなくてもよい。要は、画素パターン領域Ｓ１に設定された基準点１３に向かって第１の画素パターン１２の各画素が次第に大きくなるように形成されていればよい。
【００５５】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５６】
１…装飾表示体
１０…透明素材
１１…集光素パターン
１１ａ…集光素
１２…第１の画素パターン
１２ａ…集光素
１２’…第１の画素パターン
１２ａ’…集光素
１３…基準点
Ｚ，Ｚ’…画素の拡大虚像
【図１】
0005635141.tif 000002
【図２】
0005635141.tif 000003
【図３】
0005635141.tif 000004
【図４】
0005635141.tif 000005
【図５】
0005635141.tif 000006
【図６】
0005635141.tif 000007
【図７】
0005635141.tif 000008
【図８】
0005635141.tif 000009